(57)【要約】【課題】ユーザ側のＢＬＥデバイスの位置に応じて、事業者側の複数の通信端末との間の近距離無線リンクを制御する無線リンク制御方法及びシステムを提供する。【解決手段】システムは、複数の通信端末とネットワークを介して通信可能な制御サーバを更に有する。通信端末が、デバイスから周期的に報知される広報パケットを受信し（Ｓ１）、通信端末が、広報パケットを受信した際に、通信端末識別子及びデバイス識別子を含む通知パケットを、制御サーバへ送信し（Ｓ２）、制御サーバが、１つ以上の通知パケットを受信した際に、当該デバイスとリンク接続すべき通信端末を選択し（Ｓ３）、制御サーバが、選択した当該通信端末へ、リンク接続すべきデバイスのデバイス識別子を含む接続制御要求を送信し（Ｓ４）、通信端末が、受信した接続制御要求に含まれるデバイス識別子のデバイスへ、接続要求を送信する（Ｓ５）。【選択図】図３
2016042645.tif 000002
【特許請求の範囲】
【請求項１】
近距離無線通信方式によって通信可能なデバイス及び複数の通信端末を有するシステムの無線リンク制御方法において、
前記システムは、複数の通信端末とネットワークを介して通信可能な制御サーバを更に有し、
通信端末が、デバイスから周期的に報知される広報パケットを受信する第１のステップと、
通信端末が、前記広報パケットを受信した際に、通信端末識別子及びデバイス識別子を含む通知パケットを、制御サーバへ送信する第２のステップと、
制御サーバが、１つ以上の通知パケットを受信した際に、当該デバイスとリンク接続すべき通信端末を選択する第３のステップと、
制御サーバが、選択した当該通信端末へ、リンク接続すべきデバイスのデバイス識別子を含む接続制御要求を送信する第４のステップと、
通信端末が、受信した前記接続制御要求に含まれるデバイス識別子のデバイスへ、接続要求を送信する第５のステップと
を有することを特徴とする無線リンク制御方法。
【請求項２】
第４のステップについて、制御サーバは、前記接続制御要求に、当該通信端末がデバイスへ接続要求を送信すべき時刻を含め、
第５のステップについて、通信端末は、前記接続制御要求に含まれた時刻に、当該デバイスへ接続要求を送信する
ことを特徴とする請求項１に記載の無線リンク制御方法。
【請求項３】
通信端末は、近距離無線通信方式の無線リンクを介して、当該デバイスへ所定制御情報を送信し、直ぐに当該無線リンクを切断する第６のステップを
更に有することを特徴とする請求項１又は２に記載の無線リンク制御方法。
【請求項４】
制御サーバは、
通信端末の位置を予め登録した位置登録部を有し、
前記位置登録部を用いて、第３のステップによって選択した通信端末の位置を、当該デバイスの位置として取得する
ことを特徴とする請求項１から３のいずれか１項に記載の無線リンク制御方法。
【請求項５】
第２のステップについて、通信端末は、前記通知パケットに、デバイスから受信した前記広報パケットの受信信号強度を含め、
第３のステップについて、制御サーバは、デバイスと通信端末との間の受信信号強度に基づいて、リンク接続すべき通信端末を選択する
ことを特徴とする請求項１から４のいずれか１項に記載の無線リンク制御方法。
【請求項６】
第３のステップについて、制御サーバは、
複数の通信端末それぞれから、当該デバイスの受信信号強度を受信し、
前記受信信号強度が最も高い通信端末を、リンク接続すべき通信端末として選択する
ことを特徴とする請求項５に記載の無線リンク制御方法。
【請求項７】
前記近距離無線通信方式は、BluetoothのBluetooth Low Energyであり、
前記デバイスは、Bluetooth Low Energyタグ又はiBeacon（登録商標）であり、
前記広報パケットは、Advertising Packetである
ことを特徴とする請求項１から６のいずれか１項に記載の無線リンク制御方法。
【請求項８】
近距離無線通信方式によって通信可能なデバイス及び複数の通信端末を有するシステムにおいて、
複数の通信端末とネットワークを介して通信可能な制御サーバを更に有し、
前記通信端末は、
デバイスから周期的に報知される広報パケットを受信する広報パケット受信手段と、
前記広報パケットを受信した際に、通信端末識別子及びデバイス識別子を含む通知パケットを、制御サーバへ送信する通知パケット送信手段と、
制御サーバから受信した接続制御要求に含まれるデバイス識別子のデバイスへ、接続要求を送信する接続要求送信手段と
を有し、
前記制御サーバは、
１つ以上の通信端末から１つ以上の通知パケットを受信した際に、当該デバイスとリンク接続すべき通信端末を選択する通信端末選択手段と、
選択した当該通信端末へ、リンク接続すべきデバイスのデバイス識別子を含む接続制御要求を送信する接続制御要求送信手段と
を有することを特徴とする無線リンク制御システム。
【発明の詳細な説明】
【技術分野】
【０００１】
本発明は、近距離無線通信方式における無線リンクの確立を制御する技術に関する。
【背景技術】
【０００２】
近年、オフラインの実店舗とオンラインの電子商取引との間の購買活動を連携するシステムとして、Ｏ２Ｏ(Online to Offline)と称されるサービスが普及しつつある（例えば非特許文献１参照）。このサービスによれば、例えば、実店舗で、顧客のユーザが当該商品に物理的に近接した際に、そのユーザが所持するスマートフォンのディスプレイに、当該商品の割引クーポンや広告情報のようなコンテンツを表示させることができる。ユーザは、その割引クーポンのサービスを受けたり、店舗に在庫が無い商品であっても電子商取引によって購入することもできる。
【０００３】
ユーザのスマートフォンへのコンテンツ送信や、近接検知のための信号を送信する無線リンクとして、近距離無線通信方式（例えばBluetooth（登録商標）やZigbee（登録商標））や狭域無線通信方式（例えば無線ＬＡＮ）が用いられる。その中でも、ユーザが当該商品に物理的に近接したことを検知する用途に対して、近距離無線通信方式のBluetoothを用いた「ＢＬＥ(Bluetooth Low Energy)」が適する。ＢＬＥは、近距離無線規格Bluetoothの仕様策定団体である「Bluetooth SIG」によって、「低消費電力版Bluetooth」として規格化されたものである（例えば非特許文献２及び３参照）。
【０００４】
図１は、従来技術における近距離無線通信方式を用いたシステム構成図である。
【０００５】
図１によれば、顧客としてのユーザは、自らのスマートフォン２を所持して移動している。また、スマートフォン２には、ユーザによって、Ｏ２Ｏ専用アプリケーションが予めインストールされている。勿論、実際のサービスによれば、Ｏ２Ｏ専用アプリケーションをインストールしたスマートフォンを、ユーザへ貸出す例もある（例えば非特許文献２参照）。
一方で、店舗内空間の至る所に、ＢＬＥデバイス（タグ）３が配置されている。ＢＬＥデバイス３は、周期的に広報パケット（デバイス情報を含む）を報知している。
ユーザが店舗内を移動し、各ＢＬＥデバイス３に近接する度に、スマートフォン２は、その広報パケットを受信する。このとき、スマートフォン２のＯ２Ｏ専用アプリケーションは、アクセスネットワーク（無線ＬＡＮや携帯電話網）を介して、そのデバイス情報を管理サーバへ送信する。
管理サーバは、受信したデバイス情報から、例えば商品Ａの近くにスマートフォン２が存在していると判断する。このとき、管理サーバは、当該商品Ａの割引クーポンや広告情報のようなコンテンツを、スマートフォン２へ送信することができる。
スマートフォン２は、受信したコンテンツを、Ｏ２Ｏ専用アプリケーションによってユーザへ提示することができる。
【先行技術文献】
【非特許文献】
【０００６】
【非特許文献１】イオン幕張新都心店の取組み事例、「「Ｏ２Ｏ」で異種格闘技バトル  姿表す未来の買い物」、[online]、［平成２６年７月２７日検索］、インターネット＜URL:http://www.nikkei.com/article/DGXBZO64508920U3A221C1000000/＞
【非特許文献２】Apple社、「iBeacon for Developers」、[online]、［平成２６年７月２７日検索］、インターネット＜URL:https://developer.apple.com/ibeacon/＞
【非特許文献３】「Specification of the Bluetooth System」、[online]、［平成２６年７月２７日検索］、インターネット＜URL:https://www.bluetooth.org/en-us＞
【発明の概要】
【発明が解決しようとする課題】
【０００７】
前述したＯ２Ｏのサービスシステムによれば、以下の３点を前提としたものである。
・ユーザは、スマートフォン（タブレット含む）を所持している。
・ユーザのスマートフォンは、ＢＬＥ（scanner、受信側機能）を搭載している。
・ユーザのスマートフォンは、Ｏ２Ｏ専用アプリケーションを予めインストールしている。
【０００８】
しかしながら、このサービスシステムは、これら３点を前提するために、利用用途が限定せれざるを得ない。即ち、少数のユーザに対しては有効であっても、多数の全てのユーザに対してＢＬＥを搭載したスマートフォンを所持させることは難しい。特に、スマートフォンの操作に慣れていないユーザであれば、Ｏ２Ｏ専用アプリケーションをインストールすることも、サービス導入の障害となる。
【０００９】
これに対し、本願の発明者らは、逆に、ユーザがＢＬＥデバイスを所持したサービスシステムを想定した。ＢＬＥデバイスは、例えば１０００円以下の比較的安価なものであって、サービス提供者は、多数のユーザに対して販売し、配布し、貸出すこともできる。例えば大規模なアミューズメントパークや野外コンサート会場に配置された通信端末によって、ＢＬＥデバイスを所持したユーザの移動を管理し、ＢＬＥデバイスを制御できないか？と考えた。
【００１０】
そこで、本発明は、ユーザ側のＢＬＥデバイスの位置に応じて、事業者側の複数の通信端末との間の近距離無線リンクを制御する無線リンク制御方法及びシステムを提供することを目的とする。
【課題を解決するための手段】
【００１１】
本発明によれば、近距離無線通信方式によって通信可能なデバイス及び複数の通信端末を有するシステムの無線リンク制御方法において、
システムは、複数の通信端末とネットワークを介して通信可能な制御サーバを更に有し、
通信端末が、デバイスから周期的に報知される広報パケットを受信する第１のステップと、
通信端末が、広報パケットを受信した際に、通信端末識別子及びデバイス識別子を含む通知パケットを、制御サーバへ送信する第２のステップと、
制御サーバが、１つ以上の通知パケットを受信した際に、当該デバイスとリンク接続すべき通信端末を選択する第３のステップと、
制御サーバが、選択した当該通信端末へ、リンク接続すべきデバイスのデバイス識別子を含む接続制御要求を送信する第４のステップと、
通信端末が、受信した接続制御要求に含まれるデバイス識別子のデバイスへ、接続要求を送信する第５のステップと
を有することを特徴とする。
【００１２】
本発明の無線リンク制御方法における他の実施形態によれば、
第４のステップについて、制御サーバは、接続制御要求に、当該通信端末がデバイスへ接続要求を送信すべき時刻を含め、
第５のステップについて、通信端末は、接続制御要求に含まれた時刻に、当該デバイスへ接続要求を送信することも好ましい。
【００１３】
本発明の無線リンク制御方法における他の実施形態によれば、
通信端末は、近距離無線通信方式の無線リンクを介して、当該デバイスへ所定制御情報を送信し、直ぐに当該無線リンクを切断する第６のステップを
更に有することも好ましい。
【００１４】
本発明の無線リンク制御方法における他の実施形態によれば、
制御サーバは、
通信端末の位置を予め登録した位置登録部を有し、
位置登録部を用いて、第３のステップによって選択した通信端末の位置を、当該デバイスの位置として取得することも好ましい。
【００１５】
本発明の無線リンク制御方法における他の実施形態によれば、
第２のステップについて、通信端末は、通知パケットに、デバイスから受信した広報パケットの受信信号強度を含め、
第３のステップについて、制御サーバは、デバイスと通信端末との間の受信信号強度に基づいて、リンク接続すべき通信端末を選択することも好ましい。
【００１６】
本発明の無線リンク制御方法における他の実施形態によれば、
第３のステップについて、制御サーバは、
複数の通信端末それぞれから、当該デバイスの受信信号強度を受信し、
受信信号強度が最も高い通信端末を、リンク接続すべき通信端末として選択することも好ましい。
【００１７】
本発明の無線リンク制御方法における他の実施形態によれば、
近距離無線通信方式は、BluetoothのBluetooth Low Energyであり、
デバイスは、Bluetooth Low Energyタグ又はiBeacon（登録商標）であり、
広報パケットは、Advertising Packetである
ことも好ましい。
【００１８】
本発明によれば、近距離無線通信方式によって通信可能なデバイス及び複数の通信端末を有するシステムにおいて、
複数の通信端末とネットワークを介して通信可能な制御サーバを更に有し、
通信端末は、
デバイスから周期的に報知される広報パケットを受信する広報パケット受信手段と、
広報パケットを受信した際に、通信端末識別子及びデバイス識別子を含む通知パケットを、制御サーバへ送信する通知パケット送信手段と、
制御サーバから受信した接続制御要求に含まれるデバイス識別子のデバイスへ、接続要求を送信する接続要求送信手段と
を有し、
制御サーバは、
１つ以上の通信端末から１つ以上の通知パケットを受信した際に、当該デバイスとリンク接続すべき通信端末を選択する通信端末選択手段と、
選択した当該通信端末へ、リンク接続すべきデバイスのデバイス識別子を含む接続制御要求を送信する接続制御要求送信手段と
を有することを特徴とする。
【発明の効果】
【００１９】
本発明の無線リンク制御方法及びシステムによれば、ユーザ側のＢＬＥデバイスの位置に応じて、事業者側の複数の通信端末との間の近距離無線リンクを制御することができる。
【図面の簡単な説明】
【００２０】
【図１】従来技術における近距離無線通信方式を用いたシステム構成図である。
【図２】本発明における近距離無線通信方式を用いたシステム構成図である。
【図３】本発明における第１のシーケンス図である。
【図４】本発明における通信端末及びＢＬＥデバイスの状態遷移図である。
【図５】本発明における通信端末及び制御サーバの機能構成図である。
【発明を実施するための形態】
【００２１】
以下、本発明の実施の形態について、図面を用いて詳細に説明する。
【００２２】
図２は、本発明における近距離無線通信方式を用いたシステム構成図である。
【００２３】
図２によれば、図１と異なって、ユーザは、「ＢＬＥデバイス」３を所持して移動している。ここで、ＢＬＥデバイス３は、既存のものであって、本発明に特有の機能を搭載したものではない。
「ＢＬＥデバイス」（iBeacon（登録商標）デバイスも含む）は、人が簡単に身に付けることができる小型装置である。これは、低消費電力版Bluetoothであって、標準Bluetoothと比較して１／３程度の電力で動作する。そのために、ボタン電池であっても数年稼働する。通信には、２．４ＭＨｚ帯（ＩＳＭバンド）の電波を用いて、最大１Ｍｂｐｓ程度で、１回に３７ｂｙｔｅ以下の小容量データを伝送する。
【００２４】
本願の発明者らが想定するＢＬＥデバイス３は、例えばアミューズメントパークの場合、発光・鳴動するキャラクタ玩具装置のようなものである。また、例えば野外コンサート会場の場合、発光するペンライト装置のようなものである。ユーザは、これら装置を所持し、店舗や会場内を移動する。サービス提供者は、配置した複数の通信端末２によってユーザの移動を管理できると共に、その位置に応じてＢＬＥデバイス３の発光・鳴動を制御することができる。
【００２５】
また、図２のシステムによれば、Ｏ２Ｏ専用アプリケーションが予めインストールされた「通信端末」（例えばスマートフォン）２が、店舗内の至る所に配置されている。本発明によれば、通信端末としてのスマートフォンは、ユーザ側ではなく、サービス提供者側にある。ＢＬＥデバイス３を所持したユーザが、店舗内を移動することによって、通信端末２は、近接した当該ＢＬＥデバイス３から「広報パケット」（デバイス情報を含む）を受信する。尚、スマートフォンやタブレットであっても、Bluetooth/Bluetooth Low Energy両対応の機種が市販されている。
【００２６】
更に、図２のシステムによれば、複数の通信端末２とネットワークを介して通信可能な「制御サーバ」１を有する。通信端末２は、無線ＬＡＮや携帯電話網のようなアクセスネットワークに接続し、制御サーバ１と通信する。
【００２７】
通信端末２は、ＢＬＥデバイス３との間で近距離無線リンクによって接続し、制御サーバ１との間で狭域／広域ネットワークを介して接続する。勿論、通信端末としては、スマートフォンに限られず、タブレットやパーソナルコンピュータであってもよいが、少なくともＢＬＥのscanner（受信側）機能を有する。
【００２８】
尚、ＢＬＥ規格は、同じ周波数帯を複数の装置が利用することを前提として、８０ＭＨｚの周波数帯を２ＭＨｚ幅に分割したチャネルと、適応周波数ホッピング（Adaptive Frequency Hopping：ＡＦＨ）方式とを用いている。
【００２９】
図３は、本発明における第１のシーケンス図である。
図４は、本発明における通信端末及びＢＬＥデバイスの状態遷移図である。
【００３０】
（第１のステップ：Ｓ１）
ユーザ側のＢＬＥデバイス３は、「広報パケット」を周期的に報知している。その広報パケットは、ＢＬＥ規格に基づくAdvertising Packet（ブロードキャストパケット）である。図４によれば、ＢＬＥデバイス３は、Standby状態からAdvertising状態へ遷移する。
【００３１】
「Advertising Packet」によれば、無線リンクを確立することなく、データを送信することができる。ＢＬＥデバイス３は、例えば100ms（規格として20ms〜10.24s）の間隔で、周期的にAdvertising Packetを送信する。Bluetooth規格によれば、ＢＬＥデバイス３及び通信端末２は、以下のように機能する。
ＢＬＥデバイス３：「advertiser」
通信端末２      ：「scanner」
また、通信端末２及びＢＬＥデバイス３は、Bluetoothのプロトコルに基づく、無線リンクにおける接続確立、接続制御及びセキュリティを実現するＬＭＰ(Link Management Protocol)を備える。ＢＬＥは、ＬＭＰの下位層に「ＬＥ(Low Energy)物理層」として備えられる。
【００３２】
これに対し、図３によれば、サービス提供者側の通信端末（例えばスマートフォン）２Ａ及び２Ｂによって、同一の広報パケットが同時に受信されている。図４によれば、通信端末２は、Standby状態からInitiating状態へ遷移する。
尚、複数のＢＬＥデバイス３が存在する場合、各Advertising Packetが近距離無線空間に混在して報知されている。
【００３３】
（第２のステップ：Ｓ２）
通信端末２は、広報パケット（Advertising Packet）を受信した際に、「通知パケット」を、制御サーバ１へ送信する。図３によれば、通信端末２Ａ及び２Ｂそれぞれが、通知パケットを、制御サーバ１へ送信している。通知パケットには、少なくとも以下の２つの情報を含む。
端末ＩＤ    （Advertising Packetを受信した通信端末の通信端末識別子）
デバイスＩＤ（Advertising Packetを送信したＢＬＥデバイスのデバイス識別子）
端末ＩＤ及びデバイスＩＤは、例えばBluetooth無線モジュールのＩＤであってもよい。勿論、端末ＩＤは、スマートフォンに搭載されるＳＩＭカードの識別番号であってもよい。
【００３４】
他の実施形態として、受信信号強度を更に含めるものであってもよい。
受信信号強度（Advertising Packetを受信した際におけるＲＳＳＩ(Received Signal Strength Indication)）
【００３５】
（第３のステップ：Ｓ３）
制御サーバ１は、１つ以上の通知パケットを受信した際に、当該ＢＬＥデバイスとリンク接続すべき通信端末２を選択する。例えば所定時間毎に、通知パケットを最初に送信してきた通信端末２を選択し、その後、同一の通知パケットを破棄するものであってもよい。
【００３６】
また、通知パケットが受信信号強度を含む場合、制御サーバ１は、所定時間毎に、それら通知パケットの中で、デバイスとの間の受信信号強度が最も高い通信端末を選択するものであってもよい。受信信号強度が最も高い場合、一般に、それらの間の距離が最も短く且つ最も電波が安定的であると判断される。
【００３７】
制御サーバ１は、各通信端末２の位置を予め登録した位置登録部を有することも好ましい。位置登録部を用いて、選択された通信端末の位置を、当該デバイスの位置として取得することができる。
また、制御サーバ１は、デバイスＩＤ毎に、以下のような移動履歴を蓄積することも好ましい。
デバイスＩＤ->  タイムスタンプ，選択された通信端末ＩＤ，受信信号強度 
【００３８】
図３によれば、制御サーバ１は、ＢＬＥデバイス３に近い通信端末として、通信端末２Ａを選択したとする。
【００３９】
（第４のステップ：Ｓ４）
制御サーバ１は、選択した当該通信端末２へ、リンク接続すべきＢＬＥデバイス３のデバイス識別子を含む「接続制御要求」を送信する。図３によれば、制御サーバ１は、通信端末２Ａへ、接続制御要求を送信する。
ここで、制御サーバ１は、接続制御要求に、当該通信端末２がＢＬＥデバイス３へ接続要求を送信すべき「時刻」を含めたものであってもよい。これによって、制御サーバ１から、通信端末２とＢＬＥデバイス３との間における無線リンクの通信タイミングを制御することができる。
【００４０】
尚、他の実施形態として、制御サーバ１は、ＢＬＥデバイス３毎に、近接する通信端末２によってその移動を管理している。そのために、制御サーバ１は、当該ＢＬＥデバイス３について先の通信端末２から変化が生じた場合にのみ、変化後の通信端末２へ、接続制御要求を送信するものであってもよい。これによって、ユーザのＢＬＥデバイス３の位置が変化しない場合に、接続制御要求を何度も送信しないようにすることができる。
【００４１】
（第５のステップ：Ｓ５）
通信端末２は、受信した接続制御要求に含まれるデバイス識別子のＢＬＥデバイス３へ、「接続要求(Connection Request)」を送信する。図４によれば、通信端末２は、Initiating状態からConnection状態（マスター側）へ遷移する。ＢＬＥデバイス３は、Advertising状態からConnection状態（スレーブ側）へ遷移する。
尚、接続制御要求に「時刻」が含まれている場合、その時刻に、当該ＢＬＥデバイス３へ接続要求を送信する。
【００４２】
（第６のステップ：Ｓ６）
マスター側となる通信端末２は、ＢＬＥデバイス３へConnection Requestを送信した後、その確認をすることなく、Connection Requestの送信後、規格上1.25ms経過時点で、最初のデータパケットを送信することができる。図３によれば、通信端末２Ａは、制御サーバ１から受信した接続制御要求に含まれる制御情報を、ＢＬＥデバイス３へ送信する。
【００４３】
その後、通信端末２Ａは、当該無線リンクを切断する。
図４によれば、ＢＬＥデバイス３は、Bluetooth規格上、以下のような制約がある。
Advertising状態（Advertising Packet送信中）->ＢＬＥデバイスを制御できない
Connection状態（ＢＬＥデバイス制御中）->Advertising Packetを送信できない
->Advertising Packetが停止するため、ＢＬＥデバイスの位置を管理できない
そのために、通信端末２Ａは、制御情報のみをＢＬＥデバイス３へ送信した後に直ぐに、無線リンクを切断し、Advertising Packetの送信を再開する。これによって、システム全体として、ＢＬＥデバイス３における比較的早い移動に追従できるようにする。
【００４４】
図３によれば、前述のＳ１〜Ｓ６のシーケンスが実行された後、ＢＬＥデバイス３が移動したとする。
（Ｓ１）ＢＬＥデバイス３は、移動先でも同様に、周期的にAdvertising Packetを送信する。そのAdvertising Packetは、通信端末２Ａ及び２Ｂによって受信される。
（Ｓ２）通信端末２Ａ及び２Ｂはそれぞれ、通信端末ＩＤ及びデバイスＩＤを含む通知パケットを、制御サーバ１へ送信する。
（Ｓ３）ここで、制御サーバ１は、複数の通知パケットを受信した際に、ＢＬＥデバイス３とリンク接続すべき通信端末２Ｂを選択したとする。
（Ｓ４）制御サーバ１が、選択した当該通信端末２Ｂへ、リンク接続すべきＢＬＥデバイス３のデバイスＩＤを含む接続制御要求を送信する。
（Ｓ５）通信端末２Ｂは、受信した接続制御要求に含まれるデバイスＩＤのＢＬＥデバイス３へ、Connection Requestを送信する。
（Ｓ６）通信端末２Ｂは、受信した接続制御要求に含まれる制御情報をＢＬＥデバイス３へ送信する。そして、通信端末２Ｂは、ＢＬＥデバイス３に対する無線リンクを切断する。
【００４５】
図５は、本発明における通信端末及び制御サーバの機能構成図である。
【００４６】
＜通信端末２＞
通信端末２は、ハードウェアとして、近距離無線通信部２０１と、ネットワーク通信部２０２とを有する。近距離無線通信部２０１は、BluetoothのＢＬＥ規格におけるマスター側として機能する。ネットワーク通信部２０１は、無線ＬＡＮや携帯電話網のようなアクセスネットワークを介して制御サーバ１と通信する。
【００４７】
また、通信端末２は、広報パケット受信部２１と、通知パケット送信部２２と、接続制御要求受信部２３と、接続要求送信部２４と、制御情報送信部２５とを有する。これら機能構成部は、通信端末に搭載されたコンピュータを機能させるプログラムを実行することによって実現される。
【００４８】
［広報パケット受信部２１］
広報パケット受信部２１は、ＢＬＥデバイスから周期的に報知される広報パケット(Advertising Packet)を受信する。受信した広報パケットに含まれるデバイスＩＤを、通知パケット送信部２２へ出力する（前述した図３のＳ１参照）。また、受信した広報パケットの受信信号強度も、通知パケット送信部２２へ出力することも好ましい。
【００４９】
［通知パケット送信部２２］
通知パケット送信部２２は、通信端末ＩＤ及びデバイスＩＤを含む通知パケットを、制御サーバへ送信する（前述した図３のＳ２参照）。
【００５０】
［接続制御要求受信部２３］
接続制御要求受信部２３は、制御サーバから接続制御要求を受信する（前述した図３のＳ４参照）。接続制御要求に含まれるデバイスＩＤは、接続要求送信部２４へ出力される。接続制御要求に含まれる制御情報は、制御情報送信部２５へ出力される。
【００５１】
［接続要求送信部２４］
接続要求送信部２４は、デバイスＩＤのＢＬＥデバイスへ、接続要求(Connection Request)を送信する。
【００５２】
［制御情報送信部２５］
制御情報送信部２５は、制御情報を含むデータパケットを、ＢＬＥデバイスへ送信する。その後に直ぐに、ＢＬＥデバイスとの間の無線リンクを切断する。
【００５３】
＜制御サーバ１＞
制御サーバ１は、ネットワーク通信部１０と、通信端末選択部１１と、接続制御要求送信部１２と、位置登録部１３と、移動履歴蓄積部１４とを有する。これら機能構成部は、サーバに搭載されたコンピュータを機能させるプログラムを実行することによって実現される。
【００５４】
［通信端末選択部１１］
通信端末選択部１１は、１つ以上の通信端末から１つ以上の通知パケットを受信した際に、当該デバイスとリンク接続すべき通信端末を選択する（前述した図３のＳ３参照）。選択した通信端末の通信端末ＩＤ及びデバイスＩＤは、接続制御要求送信部１２へ出力される。
【００５５】
［接続制御要求送信部１２］
接続制御要求送信部１２は、選択した当該通信端末へ、リンク接続すべきデバイスのデバイスＩＤを含む接続制御要求を送信する（前述した図３のＳ４参照）。
【００５６】
［位置登録部１３］
位置登録部１３は、各通信端末２の位置を予め登録する。これによって、選択された通信端末の位置を、当該デバイスの位置として取得することができる。
【００５７】
［移動履歴蓄積部１４］
移動履歴蓄積部１４は、デバイスＩＤ毎に、以下のような移動履歴を蓄積する。
デバイスＩＤ->  タイムスタンプ，選択された通信端末ＩＤ，受信信号強度 
これら移動履歴を取得することによって、制御サーバ１は、当該ＢＬＥデバイス３について先の通信端末２から変化が生じた場合にのみ、変化後の通信端末２へ、接続制御要求を送信することもできる。
【００５８】
以上、詳細に説明したように、本発明の無線リンク制御方法及びシステムによれば、ユーザ側のＢＬＥデバイスの位置に応じて、事業者側の複数の通信端末との間の近距離無線リンクを制御することができる。特に、本発明によれば、Ｏ２Ｏサービスシステムについて、多数の全てのユーザに対して、ＢＬＥを搭載したスマートフォンではなく、安価なＢＬＥデバイスを所持させるだけで、ユーザの移動を管理することができる。また、ユーザが、自らのスマートフォンにＯ２Ｏ専用アプリケーションをインストールさせる必要もない。
【００５９】
本発明によれば、新しいコミュニケーションプラットフォームを提供するものである。本発明によれば、Ｏ２Ｏに限らず、ＩＯＴ(Internet of Things)やＩＯＥ(Internet of Everything)、Ｍ２Ｍ(Machine-to-Machine)にも適用することができる。局所的ではあるものの、金銭的・環境的にも比較的制約無く適用することもできる。
【００６０】
前述した本発明の種々の実施形態について、本発明の技術思想及び見地の範囲の種々の変更、修正及び省略は、当業者によれば容易に行うことができる。前述の説明はあくまで例であって、何ら制約しようとするものではない。本発明は、特許請求の範囲及びその均等物として限定するものにのみ制約される。
【符号の説明】
【００６１】
１  制御サーバ
１０  ネットワーク通信部
１１  通信端末選択部
１２  接続制御要求送信部
１３  位置登録部
１４  移動履歴蓄積部
２  通信端末
２０１  近距離無線通信部
２０２  ネットワーク通信部
２１  広報パケット受信部
２２  通知パケット送信部
２３  接続制御要求受信部
２４  接続要求送信部
２５  制御情報送信部
３  ＢＬＥデバイス
【図１】
2016042645.tif 000003
【図２】
2016042645.tif 000004
【図３】
2016042645.tif 000005
【図４】
2016042645.tif 000006
【図５】
2016042645.tif 000007